(57)【特許請求の範囲】
【請求項１】
電気機器の本体内の収納室にて、当該本体内の電源部に接続された電源側プラグと、前記収納室内に着脱可能に収納する電気部品における受電側プラグとを電気的に接続する構造であって、
前記収納室には、前記電気部品を収納室内に挿入する動きに応じてその奥側に回動する主遮蔽扉を配置し、該主遮蔽扉より奥側には当該主遮蔽扉を閉止方向に保持するためのラッチ手段を設け、
前記挿入方向への電気部品の動きにより、当該電気部品側の一方の突出部が主遮蔽扉に穿設された挿入孔を介して前記ラッチ手段を解除するように構成し、
前記ラッチ手段は前記主遮蔽扉とほぼ平行状に回動し、且つ主遮蔽扉を裏面側から押圧付勢する付勢手段を備えた押圧扉であって、主遮蔽扉には、当該扉の表面への外力による前記挿入方向の回動時に前記押圧扉の回動自由端側に当接する規制部を備え、
前記電気部品側の前記一方の突出部が前記押圧扉に当接する位置は、前記電気部品側の別の突出部が前記主遮蔽扉と最初に当接する位置よりも、前記主遮蔽扉の回動のための主支軸に近い位置に設定されていることを特徴とする電気的接続部の遮蔽装置。
【請求項２】
前記電源側プラグと受電側プラグとは、収納室内への電気部品の挿入方向の動きにて相互に摺動嵌合して電気的接触が完了するように構成されていることを特徴とする請求項１に記載の電気的接続部の遮蔽装置。
【請求項３】
前記受電側プラグは電気部品の挿入方向に突出する複数の凸状コンタクト部を備え、その少なくとも一つの凸状コンタクト部が前記挿入孔を介してラッチ手段を解除方向に押し動かすように構成されていることを特徴とする請求項１または２に記載の電気的接続部の遮蔽装置。
【発明の詳細な説明】
【０００１】
【発明の属する技術分野】
本発明は、スタンプ作成装置等の各種電気機器における電気的接続部の遮蔽装置の構造に関するものである。
【０００２】
【従来の技術】
スタンプ作成装置等の電気機器には、高圧電気を印加して所定の機能を果たすための電気部品を備えているものが種々存在する。
例えば、特開平１０−１４６９４７号公報や、特願平１０−８６４７２号に示すように、スタンプのための印面形成部材の表面に紫外線を照射するキセノンランプ発光装置では、スタンプ作成装置の本体内には、外部の商用電源（日本国では一般に１００Ｖ程度）からの電力の供給を受けて数千ボルト程度の高圧を発生させ充電するための高圧電源部を備え、この高圧電源部からキセノンランプのソケットに高圧電力を供給するようにしている。
【０００３】
そして、特願平１０−８６４７２号では、ユニットケース内に設けた反射傘とその上側に配置されたキセノンランプとユニットケース上面を覆う透明のアクリル樹脂板とからなる発光部ユニット（キセノンランプ発光装置）が、スタンプ作成装置における本体の製版部の下面に臨ませるように、本体の側面に対して横方向に着脱可能に構成されており、このスタンプ作成装置における原稿作成部にてスタンプすべき画像等を印刷した透明フィルムからなるカットシート状の原稿シートを前記透明アクリル板の上面に導き、その上側に印面形成部材を押しつけた状態で、前記キセノンランプを発光させると、印面形成部材に所定のスタンプすべき印面が形成されるように構成している。
【０００４】
また、前記出願では、発光部ユニットを本体に対して差し込み式とし、発光部ボックスの差し込み方向先端側にはキセノンランプに導通する受電側プラグを突設する一方、スタンプ作成装置の本体内には高圧電源部に接続された電源側プラグを、前記発光部ユニットの収納室の奥側に配置することにより、この発光部ユニットを本体ケースから外した状態で前記透明アクリル板の清掃や、キセノンランプの交換作業を簡単にできるようにしていた。
【０００５】
【発明が解決しようとする課題】
しかしながら、前記発光部ボックスを抜き出すと、スタンプ作成装置の本体の側面や、印面形成部材の装着部から収納室に作業者の手が入り得るため、収納室内の清掃時等において、電源側プラグに指が触れて感電するおそれがあった。
このような事情は、電気機器の本体内の収納室にて、当該本体内の電源部に接続された電源側プラグと、前記収納室内に着脱可能に収納する電気部品における受電側プラグとを電気的に接続する構造のものでは必然的に起こりうるのであった。
【０００６】
本発明は、これらの従来の問題点を解決するためになされたものであって、作業者等が電気機器の本体内の収納室に手を差し入れても、感電しないようにする電気的接続部の遮蔽装置を提供することを目的とするものである。
【０００７】
【課題を解決するための手段】
前記目的を達成するため、請求項１に記載の発明の電気的接続部の遮蔽装置は、電気機器の本体内の収納室にて、当該本体内の電源部に接続された電源側プラグと、前記収納室内に着脱可能に収納する電気部品における受電側プラグとを電気的に接続する構造であって、前記収納室には、前記電気部品を収納室内に挿入する動きに応じてその奥側に回動する主遮蔽扉を配置し、該主遮蔽扉より奥側には当該主遮蔽扉を閉止方向に保持するためのラッチ手段を設け、前記挿入方向への電気部品の動きにより、当該電気部品側の一方の突出部が主遮蔽扉に穿設された挿入孔を介して前記ラッチ手段を解除するように構成し、前記ラッチ手段は前記主遮蔽扉とほぼ平行状に回動し、且つ主遮蔽扉を裏面側から押圧付勢する付勢手段を備えた押圧扉であって、主遮蔽扉には、当該扉の表面への外力による前記挿入方向の回動時に前記押圧扉の回動自由端側に当接する規制部を備え、前記電気部品側の前記一方の突出部が前記押圧扉に当接する位置は、前記電気部品側の別の突出部が前記主遮蔽扉と最初に当接する位置よりも、前記主遮蔽扉の回動のための主支軸に近い位置に設定されているものである。
【０００８】
【０００９】
そして、請求項２に記載の発明は、請求項１に記載の電気的接続部の遮蔽装置において、前記電源側プラグと受電側プラグとは、収納室内への電気部品の挿入方向の動きにて相互に摺動嵌合して電気的接触が完了するように構成したものである。
さらに、請求項３に記載の発明は、請求項１または２に記載の電気的接続部の遮蔽装置において、前記受電側プラグは電気部品の挿入方向に突出する複数の凸状コンタクト部を備え、その少なくとも一つの凸状コンタクト部が前記挿入孔を介してラッチ手段を解除方向に押し動かすように構成したものである。
【００１０】
【発明の実施の形態】
次に、本発明を具体化した実施形態について説明する。図１はスタンプ作成装置の概略斜視図、図２はスタンプ作成装置全体の断面図、図３はキセノンランプ発光装置（キセノン発光ユニット）に対する電気的接続部の要部拡大側断面図である。
【００１１】
図１及び図２に示すように、スタンプ作成装置１における合成樹脂製等の本体ケース１ａの一側寄りの上部には、透明の原稿シート８を多数枚積層させて収納したカセット式のフィルムマガジン２を着脱自在に装着するマガジン装着部３を備える。マガジン装着部３に隣接してＩＤ用シート９を一枚ずつ手差しするための手差し挿入口４が開口されている。本体ケース１ａ内には、前記原稿シート８及びＩＤ用シート９を一枚ずつ印刷部５に向かって搬送するためのシート供給部６と、印刷部５にて印刷された原稿シート８を介して印面部材１０に所定の印面を製版するためのキセノン発光ユニット７を着脱自在に装着できる製版部１１とを備える。
【００１２】
印刷部５には、サーマルヘッド１２とプラテンローラ１３とインクリボンカートリッジ１４とを備える。サーマルヘッド１２は、本体ケース１ａの上面に上下回動可能に装着されたカバー体１６の下面側に備えた付勢手段付きホルダ１７に装着される一方、前記カバー体１６を開けてホルダ１７と共にサーマルヘッド１２を本体ケース１ａ外に位置させた状態にてインクリボンカートリッジ１４を交換することができる構成である。
【００１３】
インクリボンカートリッジ１４における巻元側リール１４ａから巻取りリール１４ｂに巻き取られるインクリボン１５が前記サーマルヘッド１２とプラテンローラ１３との間を通過するように配置し、原稿シート８をインクリボン１５とプラテンローラ１３との間に通過させ、パーソナルコンピュータ等の外部装置から伝送された製版すべき文字、画像等の製版データに従ってサーマルヘッド１２を作動させて、ポリエチレンテレフタレート等の透明フィルム製の原稿シート８の表面にスタンプすべき画像を印刷形成したのち、移送ガイド部１８を介して製版部１１に送られた原稿シート８を通してキセノン発光ユニット７の発光にて印面部材１０の表面に照射することで、印面が形成される。
【００１４】
なお、手差し挿入口４から送られたＩＤシート９にも前記原稿シート８と同じ画像を印刷して取り出し口１９から放出し、スタンプ本体のグリップ部等に張り付けて印面の識別が容易になるようにする。
図２、図３等に示すように、製版部１１における上側には、前記印面部材１０を下面側に固定したスタンプ本体２０を前後左右から挟み付けてセッティングするスタンプセッティングユニット２１を備え、このスタンプ本体２０の下方に収納室２２内に対してキセノン発光ユニット７を本体ケース１ａの右側面から横方向に出し入れできるように構成されている。
【００１５】
キセノン発光ユニット７は、合成樹脂材等の電気絶縁性材料からなるユニットケース２３とその上面側に配置されたアクリル板等の透明板２４と、ユニットケース２３内に配置されたキセノン管２５と、該キセノン管２５の両端のソケット２５ａ，２５ｂと、その下側に配置されて前記透明板２４方向に光を反射させるための光反射傘２６と、ユニットケース２３の挿入方向の先端に固定された受電側プラグ２７と、受電側プラグ２７と前記両ソケット２５ａ，２５ｂ間を接続する導線２８ａ，２８ｂ等を備えている。
【００１６】
そして、受電側プラグ２７は、図３等に示されているように、金属製導体からなる２つの丸軸状の雄型コンタクト部２９ａ，２９ｂを前記挿入方向に突出させて設けられ、その一方の雄型コンタクト部２９ａが他方の雄型コンタクト部２９ｂより高いとなるように互いに平行状に配置されている。前記収納室２２内の奥側には、前記受電側プラグ２７と対峙させ、前記両雄型コンタクト部２９ａ，２９ｂを受入れて電気的に接続できる雌型コンタクト部３０ａ，３０ｂを有する電源側プラグ３０が支持板３１上にブラケット（図示せず）を介して固定されている。
【００１７】
本体ケース１ａ内の下部には、前記電源側プラグ３０を介してキセノン発光ユニット７に高圧電力を供給するためのキセノン管発光制御回路を備えた高圧電源部３２が配置されており、該高圧電源部３２には、外部の商用電源（１００Ｖ）から入力して、高圧電力を蓄積するためのコンデンサ、該コンデンサに対して充電を行う充電回路、充電電圧検知回路、キセノン発光回路等を有し、ＣＰＵ等の制御装置により駆動制御される。
【００１８】
前記収納室２２内には、電源側プラグ３０の前方に、遮蔽装置としての主遮蔽扉３３と、該主遮蔽扉３３を遮蔽状態に保持し、且つキセノン発光ユニット７を収納室２２に挿入する動きにて主遮蔽扉３３を開くようにラッチ解除するためのラッチ手段としての押圧扉３４及び後述する規制部３８等を備える。さらに詳しく説明すると、主遮蔽扉３３は、収納室２２の下面側でキセノン発光ユニット７を摺動自在に支持する支持板３１より離れた上方の主支軸３５にて前記キセノン発光ユニット７の挿入方向に上向き回動可能に支持されている。押圧扉３４は支軸３６に巻回する等して付勢されたばね（図示せず）にて主遮蔽扉３３を押圧し、これにより、主遮蔽扉３３の自由端（下端）は、前記支持板３１に穿設された穴３７の箇所にて停止させられる。この主遮蔽扉３３の裏面側（押圧扉３４の配置側）には、前記押圧扉３４の自由端（下端）の近傍に突出する規制部３８が切り起こしにて突出形成されている。
【００１９】
主遮蔽扉３３には、図４に示すように、受電側プラグ２７の両雄型コンタクト部２９ａ，２９ｂの各先端部が挿入できる挿入穴３９，４０が穿設されている。そして、一方の挿入穴３９は、主遮蔽扉３３が略垂直状にて遮蔽しているとき、前記押圧扉３４の前面と対峙するように配置され、前記一方（上側）の雄型コンタクト部２９ａが挿入穴３９を介して押圧扉３４を押すことができ、且つ主遮蔽扉３３が上向きに大きく回動したときに干渉しないような上下長手の穴に形成されている。他方の挿入穴４０は、主遮蔽扉３３が略垂直状にて遮蔽しているとき、他方の雄型コンタクト部２９ｂが挿入でき、且つ前記押圧扉３４の前面と対峙しない位置に配置されている。また、他方の雄型コンタクト部２９ｂの基部等に設けられた突出部４１を主遮蔽扉３３の前面に当接、押しつけて、当該主遮蔽扉３３を上向き回動できるように構成されている（図５参照）。
【００２０】
次に、前記構成の遮蔽装置の動作について説明すると、例えば、２０００回の発光動作毎にキセノン管２５を交換したり、収納室２２を清掃するに際して、図１に示すように、上下スライド式のロックレバー４２にてロック解除したのち、キセノン発光ユニット７を本体ケース１ａの右側面から抜き差しすることができる。その場合、電源側プラグ３０の穴状の一対の雌型コンタクト部３０ａ，３０ｂに対して受電側プラグ２７における一対の雄型コンタクト部２９ａ，２９ｂが抜け外れて電気的接続が解除される（図３参照）。
【００２１】
キセノン発光ユニット７を抜き出した収納室２２内では、図示しないねじりばね等の付勢手段により、押圧扉３４はその自由端が下向きとなるように回動し、その前側の主遮蔽扉３３も下向き回動し、支持板３１の穴３７の箇所に主遮蔽扉３３下端の当接部３３ａが当接し、主遮蔽扉３３は略垂直状の姿勢にて保持される（図８の実線状態参照）。
【００２２】
この状態で、本体ケース１ａの右側面の開口もしくは前記スタンプセッティングユニット２１を開けて、内部のスタンプ本体１２を除去した空間から作業者が誤って指を収納室２２内に入れて、主遮蔽扉３３の表面側から図８の左方向に押した場合、押圧扉３４の自由端が主遮蔽扉３３の裏面における規制部３８、３８の上側近傍に位置していることと、図８に示すように、主支軸３５回りの前記規制部３８の回動軌跡に対して支軸３６回りの押圧扉３４の自由端の回動軌跡が交叉するので、主遮蔽扉３３のみを図８の左方向に押して回動させたときには、規制部３８が押圧扉３４の自由端に突き当たり、押圧扉３４の左向き回動ひいては主遮蔽扉３３の左向き回動（時計方向）を阻止することになる（図８の二点鎖線状態参照）。この結果、電源側プラグ３０に高圧電力が印加された状態であっても、当該電源側プラグ３０の前面側は主遮蔽扉３３にて塞がれている状態を保持できるから、作業者等の指が不用意に電源側プラグ３０の雌型コンタクト部３０ａ，３０ｂに触れることを防止して感電事故を無くすることができるのである。
【００２３】
次に、前記受電側プラグ２７を先頭にして収納室２２内にキセノン発光ユニット７を押し込むとき、図４及び図５に示すように、前記一方（上側）の雄型コンタクト部２９ａの先端が挿入穴３９を介して押圧扉３４を押す。これにより、押圧扉３４の先端（自由端）が規制部３８の箇所から離れた状態に保持でき、この状態にてさらにキセノン発光ユニット７を押し込むと、図５の二点鎖線で示すように、他方の雄型コンタクト部２９ｂの先端が他方の挿入穴４０に入ると共に、ユニットケース２３先端側の突出部４１が主遮蔽扉３３の前面を押す。この場合は、押圧扉３４の自由端と規制部３８との干渉が解除され、主遮蔽扉３３を図５の時計方向に大きく上向き回動させることができる。
【００２４】
図６に示すように、収納室２２内へのキセノン発光ユニット７のさらなる押し込み動に従って、ユニットケース２３の上面にて主遮蔽扉３３を滑るように押し上げ、電源側プラグ３０の一対の雌型コンタクト部３０ａ，３０ｂに受電側プラグ２７の一対の雄型コンタクト部２９ａ，２９ｂが嵌挿して電気的接続が完了する（図７参照）。
【００２５】
なお、収納室２２内にセットされたキセノン発光ユニット７の上面の透明板２４上に原稿シート８を導入するに際しては、前記スタンプセッティングユニット２１を開けて、内部のスタンプ本体１２を除去した状態で行い、所定位置に原稿シート８が配置されていることを確認してから、スタンプ本体１２の印面部材１０が原稿シート８上にて押圧されるようにスタンプセッティングユニット２１をセットする。
【００２６】
本発明の他の実施形態として、押圧扉３４を主遮蔽扉３３の裏面から離れるように（ラッチ手段解除方向に）押し出す部材として、前記雄型コンタクト部２９ａ，２９ｂに代えて、ユニットケース２３の前端に突出させた突出部（図示せず）にて実行するようにしても良いのである。また、主遮蔽扉３３の裏面箇所に枢支された作動レバーの先端の係合部が、主遮蔽扉３３の閉止状態において収納室の被係合部にラッチ係止し、前記作動レバーの当接部が主遮蔽扉３３に穿設された挿入穴の裏面側に位置しており、ユニットケース２３の前端に突出させた突出部もしくは前記雄型コンタクトにて前記作動レバーの当接部を押すことにより作動レバーが回動して前記係合部がラッチ係止を解除する構成であっても良い。本発明は、作業者等の手が触れると感電してショックを与えるような電圧が供給される電気部品を本体ケースに対して抜き出しする収納室内での電気的接続部であれば、用途を問わず適用できることはいうまでもない。
【００２７】
【発明の効果】
以上に詳述したように、請求項１に記載の発明の電気的接続部の遮蔽装置は、電気機器の本体内の収納室にて、当該本体内の電源部に接続された電源側プラグと、前記収納室内に着脱可能に収納する電気部品における受電側プラグとを電気的に接続する構造であって、前記収納室には、前記電気部品を収納室内に挿入する動きに応じてその奥側に回動する主遮蔽扉を配置し、該主遮蔽扉より奥側には当該主遮蔽扉を閉止方向に保持するためのラッチ手段を設け、前記挿入方向への電気部品の動きにより、当該電気部品側の一方の突出部が主遮蔽扉に穿設された挿入孔を介して前記ラッチ手段を解除するように構成したものであるので、作業者等が主遮蔽扉のみを押しても、その裏面側（奥側）のラッチ手段をラッチ解除させないので、不用意に電源側プラグに作業者が接触せず、感電事故を確実に防止することができるという効果を奏する。そして、電気部品を挿入する動きにて、その電気部品の突出部が主遮蔽扉の挿入穴を介してラッチ手段を作動させてラッチ解除できるから、別途ラッチ解除のための操作やそのための特別な部品を設ける必要がなく、構造がきわめて簡単となるという効果を奏する。
【００２８】
また、前記ラッチ手段は前記主遮蔽扉とほぼ平行状に回動し、且つ主遮蔽扉を裏面側から押圧付勢する付勢手段を備えた押圧扉で、主遮蔽扉には、当該扉の表面への外力による前記挿入方向の回動時に前記押圧扉の回動自由端側に当接する規制部を備えたものであるから、主遮蔽扉に穿設された挿入穴を介して押圧扉を先に作動させると、当該押圧扉の回動自由端側が規制部から離れてラッチ解除できるが、主遮蔽扉のみを回動させようとしても、裏面側の押圧扉と規制部との干渉で主遮蔽扉の回動を不能にできるという効果を奏する。
さらに、請求項１の発明は、前記電気部品側の前記一方の突出部が前記押圧扉に当接する位置は、前記電気部品側の別の突出部が前記主遮蔽扉と最初に当接する位置よりも、前記主遮蔽扉の回動のための主支軸に近い位置に設定されているものである。
【００２９】
そして、請求項２に記載の発明は、請求項１に記載の電気的接続部の遮蔽装置において、前記電源側プラグと受電側プラグとは、収納室内への電気部品の挿入方向の動きにて相互に摺動嵌合して電気的接触が完了するように構成したものであるから、電気部品を挿入するだけで、主遮蔽扉による遮蔽の解除作業と電気接続作業とを同時にすることができるという効果を奏する。
【００３０】
さらに、請求項３に記載の発明は、請求項１または２に記載の電気的接続部の遮蔽装置において、前記受電側プラグは電気部品の挿入方向に突出する複数の凸状コンタクト部を備え、その少なくとも一つの凸状コンタクト部が前記挿入孔を介してラッチ手段を解除方向に押し動かすための突出部としての機能と、電源側プラグへの電気的接触部との機能とを兼用するので、構成が至極簡単となるという効果を奏する。
【図面の簡単な説明】
【図１】  スタンプ作成装置の概略斜視図である。
【図２】  スタンプ作成装置全体の断面図である。
【図３】  主遮蔽扉による遮蔽状態でのキセノン発光ユニットに対する電気的接続部の要  部拡大側断面図である。
【図４】  主遮蔽扉及び押圧扉の配置状態を示す裏面図である。
【図５】  キセノン発光ユニットによる押圧扉の押圧開始状態を示す側面図である。
【図６】    キセノン発光ユニットによる主遮蔽扉押し上げ状態を示す側面図である。
【図７】  電気的接続が完了した状態の要部拡大側断面図である。
【図８】  押圧扉による主遮蔽扉の回動阻止状態を示す側面図である。
【符号の説明】
１        スタンプ作成装置
７        キセノン発光ユニット
２２        収納室
２３        ユニットケース
２４        透明板
２５        キセノン管
２７        受電側プラグ
２９ａ，２９ｂ      雄型コンタクト部
３０        電源側プラグ
３１        支持板
３３        主遮蔽扉
３３ａ      当接部
３４        押圧扉
３５        主支軸
３６        支軸
３７        穴
３８        規制部
３９，４０        挿入穴
【図１】
0004006554.tif 000002
【図２】
0004006554.tif 000003
【図３】
0004006554.tif 000004
【図４】
0004006554.tif 000005
【図５】
0004006554.tif 000006
【図６】
0004006554.tif 000007
【図７】
0004006554.tif 000008
【図８】
0004006554.tif 000009